(57)【要約】【課題】法面用ブロックとして、白色或いはグレー色の人工壁となるのを避け、また、法面用ブロックの完成面に覆土や植栽基盤を形成して様々な植物を植生することによる植物の成長の限界及び経年後の当該部分の滑落現象による緑化状態の崩壊を防止し、且つ、植物への給水を効率的に可能とした植栽ブロック及び該植栽ブロックの製造方法並びに該植栽ブロックを使用した緑化工法を提供するものである。【解決手段】少なくとも一面側を露出する壁面とし、その内側を植物育成空間としてなる植栽ブロックにおいて、該植物育成空間を構成する壁面に予め植栽基盤を付着させたことを特徴とする植栽ブロック。【選択図】図３
2004132011.tif 000002
【特許請求の範囲】
【請求項１】
少なくとも一面側を露出する壁面とし、その内側を植物育成空間としてなる植栽ブロックにおいて、該植物育成空間を構成する壁面に予め植栽基盤を付着させたことを特徴とする植栽ブロック。
【請求項２】
植栽基盤は、露出する壁面の前面側にも付着させたことを特徴とする請求項１に記載の植栽ブロック。
【請求項３】
前面側の植栽基盤は、井桁状に組んだ間伐材によって表面側より保持してなることを特徴とする請求項２に記載の植栽ブロック。
【請求項４】
植栽基盤は、化学繊維、植物繊維、植物屑及び植物チップの１種又は２種以上と保水物質とを混合して構成したことを特徴とする請求項１ないし３のいずれか１に記載の植栽ブロック。
【請求項５】
植栽基盤に、保水物質、肥料及び植物種子の１種又は２種以上を混入したことを特徴とする請求項１ないし４のいずれか１に記載の植栽ブロック。
【請求項６】
植栽基盤に、天然若しくは人工のゼオライト、活性炭等の無機質又は有機質よりなる多孔質物質を混入したことを特徴とする請求項１ないし５のいずれか１に記載の植栽ブロック。
【請求項７】
植栽基盤に、バインダーとして合成樹脂製及び天然樹脂製接着剤の１種又は混合物を使用したことを特徴とする請求項１ないし６のいずれか１に記載の植栽ブロック。
【請求項８】
植物育成空間に、既存法面と連通する排水パイプを形成し、該排水パイプを植栽基盤への水の供給手段としたことを特徴とする請求項１ないし７のいずれか１に記載の植栽ブロック。
【請求項９】
露出面となる前面側壁面となる壁中に、植物育成手段となる塊状体を混入したことを特徴とする請求項１ないし８のいずれか１に記載の植栽ブロック。
【請求項１０】
塊状体は、植栽基盤と同等材料からなることを特徴とする請求項９に記載の植栽ブロック。
【請求項１１】
塊状体は、連続空隙を有する人工セラミックスからなる材料を特徴とする請求項９に記載の植栽ブロック。
【請求項１２】
塊状体は、水溶性よりなる人工合成材料又は天然材料からなることを特徴とする請求項９に記載の植栽ブロック。
【請求項１３】
塊状体は、請求項９ないし１２の材料の１種又は２種以上に、天然若しくは人工のゼオライトからなる材料又は微生物菌群の１種又は混合物を混入してなることを特徴とする植栽ブロック。
【請求項１４】
少なくとも一面側を露出する壁面とし、その内側を植物育成空間としてなる植栽ブロックにおいて、該植物育成空間を構成する壁面に予め植栽基盤を付着させ、該壁面に貫通孔を形成し、該貫通孔となる空間に該植栽基盤と同等材料を配設し、両者を一体に形成してなることを特徴とする植栽ブロック。
【請求項１５】
植栽基盤の表面側に予め該植栽基盤と同等材料からなる円柱体、楕円柱体又は異形柱状体等の突出物を付着或いは一体成形し、該突出物の前面部に当接するようにして前面側の型枠を配設し、該型枠と植栽基盤との空間にコンクリートを打設し、その硬化後、該型枠を脱型することにより前面側壁中に形成された突出物と背面側の植栽基盤とが連続一体化された植栽基盤が形成されるようにしたことを特徴とする植栽ブロックの製造方法。
【請求項１６】
現場において請求項１ないし１４のいずれか１の植栽ブロックを、少なくとも一面側を露出する壁面の内側の植物育成空間において、連結手段又は連結手段及び裏型枠等によって据え付け、該植物育成空間を構成する壁面内側に予め付着させた植栽基盤を埋設するようにして植物育成空間に土や砂等の中詰め材及び土砂やコンクリート等よりなる裏込め材を打設してなることを特徴とする植栽ブロックを使用した緑化工法。
【発明の詳細な説明】
【０００１】
【発明が属する技術分野】
本発明は、特に河川や湖沼等の法面、道路や鉄道等の軌道法面等の法面用植栽ブロックの創案に係り、主としてコンクリート製のブロックにより法面の土留め作用を達成するばかりでなく、各種植物の育成を図り、緑豊かな法面を得ることを目的とする植栽ブロック及び該植栽ブロックの製造方法並びに該植栽ブロックを使用した緑化工法を提供するものである。
【０００２】
【従来の技術】
法面用のブロックとしては、従来よりプレキャスト製コンクリート製品として様々な形状のものが製造され、河川や湖沼等の水際部、道路や鉄道等の軌道部或いは宅地や造成地等の崖部等の法面に採用され、侵食防止のための治水、利水手段或いは土砂崩れの防止手段として利用されている。
【０００３】
上記法面用ブロックをそのまま露出させる工法に対し、近年、該法面用ブロックの完成面に覆土を施し、その覆土に各種植物を植生して緑面を形成する工法が採用されている。
【０００４】
また、上記法面用ブロックの表面側に藁、シュロ、ヤシ等の天然繊維材を取り付け、該天然繊維材を植生基盤として各種植物を植生し、それら植物の成長により壁面に緑を形成している工法も採用されている。
【０００５】
更に、擁壁の緑化手段としてポケット付緑化ブロックを採用し、該ポケット内に土や砂等を詰め込むことにより当該箇所を植生手段としているものがある。
【０００６】
【発明が解決しようとする課題】
上記法面用ブロックは、プレキャスト製品のため、そのコンクリート面が表面に露出した状態で法面が完成することになり、白色或いはグレー色の人工壁が水際や軌道面或いは崖面に沿って延々と連続し、殺風景なばかりでなく当該地域の生体系を崩壊し、環境上好ましいものではなかった。
【０００７】
また、上記のように法面用ブロックの完成面に覆土や植栽基盤を形成して様々な植物を植生したものは、法面全体を緑化させることが可能となるが、植物の成長を促進する根を保持する役割をなす覆土や植栽基盤の厚みには限界があり、当該根は裏面側の法面用ブロックに到達した段階で遮断され、横方向に延びるだけで該根が大きく育つことはできず、植物の成長には限界があった。
更に、植物は法面用ブロックの表面側にのみ植生されているので降雨により覆土や植栽基盤の下端側へ水分が溜まり易く、当該箇所の含水率が上昇し、その箇所における植物の保水作用により根腐れが生じたり、それらの箇所が軟弱となり崩れ易くなり、年を経て緑化状態が崩壊する欠点があった。
また、当該覆土や植栽基盤が法面用ブロックと分離して滑落し、法面用ブロックの表面側全体が崩壊するおそれもあった。
【０００８】
更に、ポケット付緑化ブロックを採用し、該ポケット内に土や砂等を詰め込むことにより当該箇所を植生手段としているものにあっては、該緑化ブロックは練積ができないこと或いは該ポケット内の植物に効率的に給水できないという欠点があった。
【０００９】
それらを防止するために、法面用ブロックに多くの透水或いは排水構造等を設ける必要があり、そのための特殊な構造の法面用ブロックを製造したり、現場において排水のための特別な施工を施す必要があった。
【００１０】
【課題を解決するための手段】
本発明は、上記した従来技術の欠点を解決したもので、
少なくとも一面側を露出する壁面とし、その内側を植物育成空間としてなる植栽ブロックにおいて、該植物育成空間を構成する壁面に予め植栽基盤を付着させた植栽ブロックを特徴とする。
【００１１】
上記植栽基盤は、露出する壁面の前面側にも付着させた植栽ブロックを特徴とする。
【００１２】
また、上記前面側の植栽基盤は、井桁状に組んだ間伐材によって表面側より保持してなる植栽ブロックを特徴とする。
【００１３】
更に、該植栽基盤は、化学繊維、植物繊維、植物屑及び植物チップの１種又は２種以上と保水物質とを混合して構成した植栽ブロックを特徴とする。
また、該植栽基盤に、保水物質、肥料及び植物種子の１種又は２種以上を混入した植栽ブロックを特徴とする。
【００１４】
更に、該植栽基盤に、天然若しくは人工のゼオライト、活性炭等の無機質又は有機質よりなる多孔質物質を混入した植栽ブロックを特徴とする。
また、該植栽基盤に、バインダーとして合成樹脂製及び天然樹脂製接着剤の１種又は混合物を使用した植栽ブロックを特徴とする。
【００１５】
更に、上記植物育成空間には、既存法面と連通する排水パイプを形成し、該排水パイプを植栽基盤への水の供給手段とした植栽ブロックを特徴とする。
【００１６】
また、露出面となる前面側壁面となる壁中に、植物育成手段となる塊状体を混入した植栽ブロックを特徴とする。
上記塊状体は、植栽基盤と同等材料からなる植栽ブロックを特徴とする。また、該塊状体は、連続空隙を有する人工セラミックスからなる材料とした植栽ブロックを特徴とする。
【００１７】
更に、該塊状体は、水溶性よりなる人工合成材料又は天然材料からなる植栽ブロックを特徴とする。また、該塊状体は、上記の材料の１種又は２種以上に、天然若しくは人工のゼオライトからなる材料又は微生物菌群の１種又は混合物を混入してなる植栽ブロックを特徴とする。
【００１８】
更に、少なくとも一面側を露出する壁面とし、その内側を植物育成空間としてなる植栽ブロックにおいて、該植物育成空間を構成する壁面に予め植栽基盤を付着させ、該壁面に貫通孔を形成し、該貫通孔となる空間に該植栽基盤と同等材料を配設し、両者を一体に形成してなる植栽ブロックを特徴とする。
【００１９】
また、植栽基盤の表面側に予め該植栽基盤と同等材料からなる円柱体、楕円柱体又は異形柱状体等の突出物を付着或いは一体成形し、該突出物の前面部に当接するようにして前面側の型枠を配設し、該型枠と植栽基盤との空間にコンクリートを打設し、その硬化後、該型枠を脱型することにより前面側壁中に形成された突出物と背面側の植栽基盤とが連続一体化された植栽基盤が形成されるようにした植栽ブロックの製造方法を特徴とする。
【００２０】
更に、現場において上記植栽ブロックを、少なくとも一面側を露出する壁面の内側の植物育成空間において、連結手段又は連結手段及び裏型枠等によって据え付け、該植物育成空間を構成する壁面内側に予め付着させた植栽基盤を埋設するようにして植物育成空間に土や砂等の中詰め材及び土砂やコンクリート等よりなる裏込め材を打設してなる植栽ブロックを使用した緑化工法を特徴とする。
【００２１】
【発明の実施の形態】
【実施例１】
図１は本発明の植栽ブロック１及びその据え付け手段（下記する実施例７に示す据え付け手段）を示したもので、図１（ａ）はその側断面図、同（ｂ）は同（ａ）のＡーＡ線の平断面図である。
植栽ブロック１は、前面側となる盤状壁部２、該盤状壁部２を支える控え壁部３とより構成され、該植栽ブロック１は施工時においてその据え付け手段として該控え壁部３から連結器具（以下セパレータという）４を介して所定空間を有して取り付けられる裏型枠５を取着する。そして、本発明の該植栽ブロック１は該盤状壁部２の背面側に植栽基盤６を一体化して構成している。
本実施例１では該控え壁部３は２箇所に形成されているが、１箇所或いは数カ所でもよい。
【００２２】
上記盤状壁部２は、プレキャスト製コンクリート製品として形成され、適宜箇所に貫通孔７を形成し、各種植物が該盤状壁部２の前面側に露出して成長するように形成されている。該貫通孔７には保水や吸水機能、通気機能、通茎機能、通根機能、植物育成機能及び土砂等の流出防止機能等を適宜付与させている。
従って、貫通孔７は表面側上方へ向けて傾斜するように構成することが望ましい。
【００２３】
該控え壁部３は、盤状壁部２に対し直交方向に裏側へ延出し、中詰め材或いは裏込め材等の土砂、コンクリート等の詰め込み材に埋設されることにより施工場所の所定位置に該植栽ブロック１が固定されることになる。
また、控え壁部３には貫通孔８が適宜に形成され、上記詰め込み材が横方向において一体化されるようにしている。
【００２４】
該盤状壁部２の背面側には該盤状壁部２と一体化された植栽基盤６が取着され、植物の育成手段とされている。該植栽基盤６は板状のもので、厚さは約５ｍｍから約１００ｍｍ等の施工場所或いは植物に合わせた適宜なものが採用される。植栽基盤６の材料は、化学繊維、植物繊維、植物屑及び植物チップの１種又は２種以上と保水物質とを混合したものを板状、袋体状、ロール状等に製造して採用する。
植物繊維としては椰子の実の繊維、シュロ又は藁等の天然繊維等が使用される。
【００２５】
上記椰子繊維は、通気性に優れている。従って、植物の根や茎の育成空間として極めて良好である。また、強度があり、耐久性にも優れ、長期間にわたり植物育成のための機能を確保することが可能となる。
更に、椰子繊維マットは、椰子繊維を絡ませたもので、所定の形状を確保するため及び環境面からバインダーとして天然ゴムを使用する。
また、繊維屑は椰子繊維を採取した肉質の部分で、１ないし２ｍｍ以下程度の粒状のものである。吸水性及び保水性においては椰子繊維より優れている。
更に、椰子殻屑は、椰子油を採取した殻の繊維層を分離したもので、その残余部分を粉砕したチップである。通気性及び吸水性においては椰子繊維よりは優れている。
【００２６】
該植栽基盤６は、上記のように化学繊維、植物繊維、植物屑及び植物チップ等の１種又は２種以上を混合して製造するが、それらに保水物質を混合することにより保水性を高めることができる。また、該植栽基盤６には、保水物質、肥料及び植物種子の１種又は２種以上のものを混入することもできる。
上記保水物質の１例として保水ポリマーを使用する。該保水ポリマーはポリマー粒子が吸水することにより膨潤し、当該容積分で保水することができる。また、マット状、ブロック状等様々な形状及び大きさのものが使用できる。更に、該保水ポリマーは、植栽土が乾燥し始めると徐々に土に水分を供給し、土が過湿状態となると吸水する。また、土との接触面全体から水を供給するためにむらがない。
更に、ユニット或いは透水シートの一部等を地表に露出させておくことにより、雨水が流下する前に土壌よりも早く浸透させることが可能である。該透水シートは、土壌と接することによりポリマーから植栽部分に水分・湿気を供給する。また、上記植栽基盤６には、上記保水物質、肥料、植物種子の１種又は２種以上のものを繊維材中に保持させるためのバインダーとして、合成樹脂製或いは天然樹脂製の接着剤を単独又は混合して使用する。
【００２７】
更に、上記植栽基盤６に、天然又は人工のゼオライト、活性炭を代表とする無機質及び有機質の多孔質物質を混入する。上記同様、繊維材中に保持させるためのバインダーとして、合成樹脂製或いは天然樹脂製の接着剤を単独又は混合して使用する。
【００２８】
上記ゼオライトや活性炭等の多孔質物質の混入により、微生物の付着量を向上させることができ、その多数の微生物の働きにより植物の育成を促進させることができる。更に、植栽基盤６全体の通気性、吸水性も向上させることができる。
【００２９】
上記構成より成る植栽ブロック１を、現場において所定位置に積設し、その裏側の植物育成空間Ｓにおいてセパレータ４によって裏型枠５を取り付け、既存法面Ｗとの間の空隙部に裏込み材としてコンクリート等の打設、及び／又は該植物育成空間Ｓを構成する土や砂等の中詰め材を詰め込むことにより植栽ブロック１相互を連結し、且つ該土や砂等の中詰め材を詰め込むことにより壁面内側に予め付着させた植栽基盤６を埋設し、該中詰め材によって植物の育成空間を形成することができる。
【００３０】
上記工法により、植栽基盤６より発芽或いは植物育成空間Ｓに植生された植物が植物育成空間Ｓにおいて成長し、成長した植物が貫通孔７より表面側に露出し、植栽ブロック１の前面側壁面を覆うことになる。
【００３１】
【実施例２】
図２は、本発明の植栽ブロックの他の実施例で、上記実施例１のものの盤状壁部の貫通孔の形成等について詳述したものである。図２（ａ）はその側断面図、同（ｂ）は平断面図、同（ｃ）は同背面図、同（ｄ）は同（ｃ）のＡーＡ線の側断面図である。
植栽ブロック１１は、プレキャスト製品として製造され、前面側となる盤状壁部１２、該盤状壁部１２を支える控え壁部１３及び該盤状壁部１２の背面側に一体化された植栽基盤１６とより構成されている。本実施例では該控え壁部１３は２箇所に形成されているが、１箇所或いは数カ所でもよい。番号１７は、貫通孔で該貫通孔１７は適宜に形成され、中詰め材は該貫通孔１７により横方向に一体化されることになる。
【００３２】
上記盤状壁部１２は、その表面側に切り欠部１８が適数個平行状に併設状態で形成され、該背面側には、上記上下の併設切り欠部１８の間隔にほぼ一致する幅を有した溝１９が併設して形成されている。
上記切り欠部１８は、植栽ブロック１１の強度に影響を与えない程度の案内溝的な切り欠きで、該溝１９に通じる貫通孔を形成するときの切り欠きとなる。
【００３３】
上記切り欠部１８の切り欠きは適宜行うことが可能である。該切り欠きによって形成された貫通孔は植物の露出孔となる。従って、露出孔を必要とする箇所に適宜貫通孔を形成することが可能となる。
【００３４】
該溝１９の長さは、本実施例では控え壁部１３間では２箇所に分割し、且つその長さ方向を相互に異なる方向に傾斜するように形成し、該盤状壁部１２の強度が弱体化することを防止している。
また、端部側の溝１９の長さ方向の傾斜も相互に異なる方向に傾斜形成し、プレキャストコンクリート製品が弱体化することを防止している。
【００３５】
控え壁部１３は、盤状壁部１２に対し直交方向に延出し、土砂やコンクリート等に埋設されることにより所定位置に該植栽ブロック１１を強固に固定することになる。
【００３６】
該盤状壁部１２の背面側には植栽基盤１６が付着一体化されている。該植栽基盤１６は板状のもので、その大きさ、厚さ、形状、材料等は、上記実施例１のものと同様のものが採用される。
【００３７】
【実施例３】
図３に示すように、植栽ブロック１は、少なくとも一面側を露出する盤状壁部２、該盤状壁部２を支える控え壁部３及び内側を植物育成空間Ｓとしてなる該植物育成空間Ｓを構成する壁面に予め取着させた植栽基盤６とによって構成されている。
該植物育成空間Ｓには、背面側の土砂等の既存法面Ｗ側にその一端を開口させ、他端側を該植栽基盤６に連通した排水パイプ９を形成し、該排水パイプ９を通じ既存法面Ｗの表面側に浸透してきた水を排水パイプ９を通路として植栽基盤６へ給水させる給水構造とした。
なお、番号１０は排水孔で、余水は植栽基盤６等を通過して、植栽ブロック１の表面側へ排出される。
【００３８】
上記構成により、植栽基盤６には常時水分が供給され、植物の育成に役立つことが可能となる。
【００３９】
【実施例４】
図４は、植栽ブロック１の製造時における実施例を示し、植栽ブロック１の露出する盤状壁部２に、該植栽ブロック１を製造するためのコンクリートの打設時に、球形状等の形状よりなる塊状体２０を混入している。
該塊状体２０としては、ゴルフボールのような硬質の球状形状のもので、コンクリートの打設後、当該塊状体２０を取り除くことによって盤状壁部２に空洞を形成している。上記空洞は植物育成のための植栽基盤としての役割を達成する。
【００４０】
また、上記塊状体２０として植栽基盤６と同等の材料を使用し、且つ該塊状体２０をそのまま盤状壁部２中に埋設状態とすることにより、その塊状体２０が植物の育成基盤となる。
【００４１】
更に、塊状体２０を連続空隙を有する人工セラミックスとし、上記同様に盤状壁部２中に埋設することにより、該塊状体２０により植栽ブロック１に透水性、通気性等を付与することができ、植物の育成にとって優れたものとなる。
【００４２】
また、塊状体２０を水溶性よりなる人工合成材料又は天然材料から構成することにより、コンクリートと混合して打設した該塊状体２０は、コンクリートより浸透してくる水分により溶解され、盤状壁部２に空洞を形成する。上記空洞は上記同様に植物育成のための植栽基盤としての役割を達成する。
【００４３】
更に、塊状体２０として、天然若しくは人工のゼオライトとすることにより、当該ゼオライトに微生物菌群が付着し易くなり、植物の育成に貢献することが可能となる。
【００４４】
また、塊状体２０として、上記植栽基盤６と同等の材料、連続空隙を有する人工セラミックス及び天然若しくは人工のゼオライトの材料の１種又は２種以上に微生物菌群を混入したものとすることにより、当該箇所より微生物が育ち、植物の育成をより促進することが可能となる。
一部の微生物群は耐高温性を有するため、セラミックスを焼成する前に、微生物菌群を混入することも可能である。
【００４５】
上記塊状体２０の形状としては、三角形、四角形立方体等の形状のものでも良いが、ブロック全体の強度を向上するため、球状体或いはそれに近い形状のものが好ましい。
また、植栽基盤６は盤状壁部２の内側となる植物育成空間Ｓの適宜箇所に配設することができる。
【００４６】
【実施例５】
図５は、様々な形状の植栽ブロックに植栽基盤を対応させた実施例である。
図５（ａ）は、上記実施例１と同様な形状の植栽ブロック１で、該植栽ブロック１の露出する盤状壁部２の裏面側の植物育成空間Ｓの背面側に植栽基盤６を配設した植栽ブロック１である。
上記植栽ブロック１と既存法面Ｗとなる自然法面との間には裏込め材として土砂やコンクリート等が詰められ、盤状壁部２の裏面側の植物育成空間Ｓには中詰め材として植栽用の土や砂が詰められる。
【００４７】
図５（ｂ）は、露出する盤状壁部２を前方へ傾斜させ、上下の植栽ブロック１間に植物育成空間Ｓの一部を表面側に露出した植栽ブロック１である。本実施例では盤状壁部２の背面側に植栽基盤６を配設している。
上記同様、植栽ブロック１と既存法面Ｗとの間には裏込め材として土砂やコンクリートが詰められ、盤状壁部２の裏面側の植物育成空間Ｓには中詰め材として植栽用の土や砂が詰められる。
【００４８】
図５（ｃ）は、露出する盤状壁部２をほぼ垂直方向に立設した植栽ブロック１で、上下の植栽ブロック１間に植物育成空間Ｓの一部が表面側に露出して形成されているものである。２段毎に後方へずらして植栽ブロック１を積設し、そのずれた空間を露出した植物育成空間Ｓとしている。上記盤状壁部２の背面側に植栽基盤６を配設している。
上記同様、植栽ブロック１と既存法面Ｗとの間には裏込め材として土砂やコンクリートが詰められ、盤状壁部２の裏面側の植物育成空間Ｓには中詰め材として植栽用の土や砂が詰められる。
【００４９】
図５（ｄ）は、露出する盤状壁部２と裏面側へ突出形成された底部２’とによって断面Ｌ字型の植栽ブロック１が形成されている。該盤状壁部２の背面側に植栽基盤６を配設した植栽ブロック１である。また、底部２’上に植栽基盤６を配設することも可能である。
該盤状壁部２と底部２’とを主として構成される植栽ブロック１と既存法面との間には裏込め材として土砂やコンクリートが詰められ、盤状壁部２の裏面側の植物育成空間Ｓには中詰め材として植栽用の土や砂が詰められる。
【００５０】
上記各実施例では、主として植物育成空間Ｓの盤状壁部２の背面側に植栽基盤６を配設した例を示したが、該植物育成空間Ｓの盤状壁部２の背面側のみの場合の他、該植物育成空間Ｓを構成する壁面の他の部分（例えば裏面側、側面側等）或いは背面側及び上記他の部分の双方に植栽基盤６を配設することも可能である。
また、盤状壁部２の前面側にも植栽基盤６’を配設することが可能である。該植栽基盤６’は単独で前面側に配設されたものとは異なり、貫通孔７を通じて背面側の植栽基盤６と一体化され、或いは植物が成長することにより貫通孔７を介してその根を双方の植栽基盤６、６’にはりめぐらすことが可能となり、両者が実質的に一体化されることになり、植栽基盤６’が植栽ブロック１より分離して崩落することがない。
【００５１】
図５（ｅ）、（ｆ）は、盤状壁部２の表面側に植栽基盤６’を配設した植栽ブロック１の実施例の側断面図及び正面図を示している。盤状壁部２の表面より植栽基盤６’が滑落することを防止するために押さえ部材Ｋにより表面側より該植栽基盤６’を支持している。
押さえ部材Ｋは、縦横の井桁状に組んだ部材が使用され、その部材間の空隙部より植物が育成されるように構成されている。該押さえ部材Ｋの材料には間伐材を使用することにより該間伐材の使用用途を拡大することを可能としている。
また、経年後、該間伐材が朽ちたとしても当該時点では植物は成長しているので該植物により当該材料が滑落することはない。且つ、朽ちた該間伐材は植物の肥料となり或いは自然に戻ることになる。
上記押さえ部材Ｋは、上記実施例５の図５（ａ）〜（ｄ）の他の植栽ブロックにおいて使用することも可能である。
【００５２】
【実施例６】
図６（ａ）は、少なくとも一面側を露出する壁面となる盤状壁部２２、その内側を植物育成空間Ｓとしてなる植栽ブロック２１において、該植物育成空間Ｓを構成する壁面内側に予め付着させた植栽基盤２６と該盤状壁部２２の表面側にまで貫通する空間２７に該植栽基盤６と同等の材料よりなる突出物２８を一体に形成させたことを特徴とする植栽ブロックである。
【００５３】
図６（ｂ）は、上記植栽ブロック２１を製造する方法を示したもので、植栽基盤２６の表面側に予め該植栽基盤２６と同等材料からなる円柱体又は楕円柱体等の突出物２８を付着或いは一体成形し、該突出物２８の前面部に当接するようにして前面側の型枠２９を取り付け、該型枠２９と植栽基盤２６との空間にコンクリートを打設し、或いは植栽基盤２６の背面側にも必要に応じて後面側の型枠３０を形成してコンクリートを打設し、そのコンクリートの硬化後、該型枠２９、３０を脱型する。
【００５４】
上記により盤状壁部２２中に形成された突出物２８としての植栽基盤と背面側の植栽基盤２６とが連続一体化した植栽基盤とすることが可能となる。
これにより、裏面側の植栽基盤２６からプレキャスト製品の表面側までを植物の育成手段とすることができ、また、植物の根が植栽ブロック２１の表面側から裏の植栽基盤にまで広がることができ、根付け及び根回りを丈夫にすることが可能となる。
更に、表面側から盤状壁部２２の内側への雨水の浸透が容易となった。また、円柱体、楕円体の配置及びそれらの様々な組み合わせ等により、プレキャスト製品の表面模様を自由に変えることもできる。
【００５５】
【実施例７】
図７（ａ）〜（ｅ）は、上記実施例１、２、３で示した植栽ブロック１を法面に沿って据え付ける方法を示している。
同（ａ）に示すように、施工現場或いはそれに近接した仮置き場等の安全な場所においてセパレータ４及び裏型枠５を取り付ける。上記セパレータ４は控え壁部３の後方部に設けられたインサート３１に控長の長さに応じた部材長のセパレータ４を適数個取り付ける。図においては４箇所のインサート３１に４個のセパレータ４を取り付けている。
【００５６】
上記セパレータ４に同（ｂ）に示すように裏型枠５を取り付け、該セパレータ４の先端部に固定ナット３２を取着する。該裏型枠５は植栽ブロック１の据え付け後に該セパレータ４の先端部で固定するようにするか、該植栽ブロック１の吊り下げ時に裏型枠５の重さによりセパレータが撓まないように同（ｃ）に示すように植栽ブロック１側に寄せておく。
【００５７】
同（ｄ）は、本発明の植栽ブロック１を基礎Ｆ上に据え付けた状態を示している。Ｇは吊り下げ金具である。
植栽ブロック１を基礎Ｆに据え付けた後、裏型枠５を固定位置までスライドさせ固定ナット３２により締め付け固定する。
上記では連結手段としてセパレータ４及び裏型枠５を有する植栽ブロック１について説明したが、該連結手段には様々なものが存在する。例えば植栽ブロック１相互を連結するモルタル状のものも連結手段の一種である。
【００５８】
植栽ブロック１の据え付け後、植栽ブロック１と既存法面Ｗとの空隙に裏込みコンクリートを打設して該植栽ブロック１を固定し、植物育成空間Ｓを構成する盤状壁部２の内側壁面に予め付着させた植栽基盤６を埋設するようにして土、砂等の中詰め材を詰め込んで植栽ブロック１による壁面を施工する緑化工法を提供することができる。
【００５９】
該裏込みコンクリートの打設により壁としての強度を増加させ、植物育成空間Ｓに植栽機能がある植栽基盤を持つ植物育成手段を形成し、前面壁となる盤状壁部と該裏込みコンクリートとによって上記植物育成空間Ｓを挟み込んだサンドイッチ構造を完成させる緑化工法を提供することができる。
【００６０】
【発明の効果】
本発明の植栽ブロックは、該植栽ブロックの完成表面に各種植物が育成するので、その全面を緑とすることが可能となり、殺風景さを解消し、且つ当該場所の生体系を維持することができ、環境上好ましいものとなった。
【００６１】
また、上記植栽ブロックの主たる植栽基盤を、露出する壁面となる盤状壁部の内側の植物育成空間内に配設したので、植物の成長を促進する根を保持し、当該根が十分に成長し、しいては植物の成長を促進することが可能となった。
更に、植物は植栽ブロックの内側に植生されるので降雨や軽年劣化により植生基盤を失うことがなく、年を経ても壁面の緑化状態が崩れる心配がなくなった。
【００６２】
また、植栽基盤として主として椰子、藁、シュロ等の天然繊維材等の繊維材を採用しているので、植物の種や肥料等の保持が良く、通気性に優れている。また、当該繊維材中に保水物質を混入することにより保水性及び吸水性に優れた植栽基盤を得ることができ、植物の成長にとって良好な状態を長期にわたって確保することができ、法面全体を緑化させることが可能となった。
【００６３】
更に、植栽基盤に多孔質物質等を混入することにより、微生物の付着量を向上でき、多数の微生物の働きによって、植物の育成を一層促進することが可能となった。
【図面の簡単な説明】
【図１】（ａ）本発明の植栽ブロック及びその据え付け手段を示した側断面図。
（ｂ）本発明の植栽ブロック及びその据え付け手段を示した平断面図。
【図２】（ａ）本発明の植栽ブロックの他の実施例を示した側断面図。
（ｂ）本発明の植栽ブロックの他の実施例を示した平断面図。
（ｃ）本発明の植栽ブロックの他の実施例を示した裏面図。
（ｄ）本発明の植栽ブロックの他の実施例を示した（ｃ）のＡーＡ線部の側断面図。
【図３】本発明の植栽ブロックを法面に据え付けた側断面図。
【図４】本発明の植栽ブロックの盤状壁部の側断面図。
【図５】（ａ）本発明の植栽ブロックを法面に据え付けた側断面図。
（ｂ）本発明の植栽ブロックを法面に据え付けた他の実施例の側断面図。
（ｃ）本発明の植栽ブロックを法面に据え付けた他の実施例の側断面図。
（ｄ）本発明の植栽ブロックを法面に据え付けた他の実施例の側断面図。
（ｅ）本発明の植栽ブロックにおける盤状壁部の他の実施例の側断面図。
（ｆ）本発明の植栽ブロックにおける盤状壁部の他の実施例の正面図。
【図６】（ａ）本発明の植栽ブロックにおける盤状壁部の他の実施例の側断面図。
（ｂ）本発明の植栽ブロックにおける盤状壁部の他の実施例の製造時の側断面図。
【図７】（ａ）本発明の植栽ブロックの背面側斜視図。
（ｂ）本発明の植栽ブロック及びその据え付け手段を示した背面側斜視図。
（ｃ）本発明の植栽ブロック及びその据え付け手段を示した背面側斜視図。
（ｄ）本発明の植栽ブロックを基礎上に据え付けた側断面図。
（ｅ）本発明の植栽ブロックを基礎上に据え付けた側断面図。
（ｆ）据え付け手段となるセパレータと裏型枠との関係を示す側面図。
【符号の説明】
Ｆ・・基礎
Ｇ・・吊り下げ金具
Ｋ・・押さえ部材
Ｓ・・植物育成空間
Ｗ・・既存法面
１、１１、２１・・植栽ブロック
２、１２、２２・・盤状壁部
３、１３・・控え壁部
４・・連結器具
５・・裏型枠
６、１６、２６・・植栽基盤
７、８、１７、２７・・貫通孔
９・・排水パイプ
１０・・排水孔
１８・・切り欠部
１９・・溝
２０・・塊状体
２８・・突出物
２９・・型枠
３０・・型枠
３１・・インサート
３２・・固定ナット
【図１】
2004132011.tif 000003
【図２】
2004132011.tif 000004
【図３】
2004132011.tif 000005
【図４】
2004132011.tif 000006
【図５】
2004132011.tif 000007
【図６】
2004132011.tif 000008
【図７】
2004132011.tif 000009